(57)【要約】【課題】取付け角を短期間に導出する技術を提供する。【解決手段】入力部２０は、加速度センサ１２からの進行方向出力値であって、かつ車両の進行方向についての進行方向出力値を順次入力する。取得部２２は、道路の傾き方向についての車両の加速度を順次取得する。相関部２４は、順次取得した加速度と、順次入力した進行方向出力値との間の相関値を導出する。導出部２６は、導出した相関値がしきい値以上である場合に、順次取得した加速度の変化と、順次入力した進行方向出力値の変化とをもとに、車両に対する加速度センサ１２の取付け角の絶対値を導出する。【選択図】図２
2014130094.tif 000002
【特許請求の範囲】
【請求項１】
車両に搭載された加速度センサからの進行方向出力値であって、かつ車両の進行方向についての進行方向出力値を順次入力する入力部と、
前記入力部において順次入力した進行方向出力値とは別に、道路の傾き方向についての車両の加速度を順次取得する取得部と、
前記取得部において順次取得した加速度と、前記入力部において順次入力した進行方向出力値との間の相関値を導出する相関部と、
前記相関部において導出した相関値がしきい値以上である場合に、前記取得部において順次取得した加速度の変化と、前記入力部において順次入力した進行方向出力値の変化とをもとに、車両に対する加速度センサの取付け角の絶対値を導出する導出部と、
を備えることを特徴とする導出装置。
【請求項２】
前記導出部は、前記相関部において相関値を導出するための第１期間よりも短い第２期間であって、かつ第１期間に含まれた第２期間における加速度の変化と進行方向出力値の変化とをもとに、車両に対する加速度センサの取付け角の絶対値を導出することを特徴とする請求項１に記載の導出装置。
【請求項３】
前記導出部は、第２期間を変えながら、加速度センサの取付け角の絶対値を仮の絶対値として複数導出するとともに、複数の仮の絶対値を加重平均することによって、加速度センサの取付け角の絶対値を導出しており、前記相関部において導出した相関値が大きくなるほど、加重平均の際の重みを大きくすることを特徴とする請求項２に記載の導出装置。
【請求項４】
前記入力部は、加速度センサからの重力加速度方向出力値であって、かつ車両の進行方向に対して鉛直方向についての重力加速度方向出力値を順次入力し、
前記導出部は、車両の加速度が変化する場合において、前記入力部において順次入力した重力加速度方向出力値の増減に応じて、車両に対する加速度センサの取付け角の符号を導出することを特徴とする請求項１から３のいずれかに記載の導出装置。
【請求項５】
前記入力部は、加速度センサからの重力加速度方向出力値であって、かつ車両の進行方向に対して鉛直方向についての重力加速度方向出力値を順次入力し、
前記取得部は、車両の傾き角を順次取得し、
前記導出部は、傾き角の第１値に対応した重力加速度方向出力値の第１値と、傾き角の第２値に対応した重力加速度方向出力値の第２値との大小関係に応じて、車両に対する加速度センサの取付け角の符号を導出することを特徴とする請求項１から３のいずれかに記載の導出装置。
【請求項６】
車両に搭載された加速度センサからの進行方向出力値であって、かつ車両の進行方向についての進行方向出力値を順次入力するステップと、
順次入力した進行方向出力値とは別に、道路の傾き方向についての車両の加速度を順次取得するステップと、
順次取得した加速度と、順次入力した進行方向出力値との間の相関値を導出するステップと、
導出した相関値がしきい値以上である場合に、順次取得した加速度の変化と、順次入力した進行方向出力値の変化とをもとに、車両に対する加速度センサの取付け角の絶対値を導出するステップと、
を備えることを特徴とする導出方法。
【請求項７】
車両に搭載された加速度センサからの進行方向出力値であって、かつ車両の進行方向についての進行方向出力値を順次入力するステップと、
順次入力した進行方向出力値とは別に、道路の傾き方向についての車両の加速度を順次取得するステップと、
順次取得した加速度と、順次入力した進行方向出力値との間の相関値を導出するステップと、
導出した相関値がしきい値以上である場合に、順次取得した加速度の変化と、順次入力した進行方向出力値の変化とをもとに、車両に対する加速度センサの取付け角の絶対値を導出するステップと、
をコンピュータに実行させるためのプログラム。
【発明の詳細な説明】
【技術分野】
【０００１】
本発明は、導出技術に関し、特に加速度センサの取付け角を導出する導出装置、導出方法、プログラムに関する。
【背景技術】
【０００２】
車両に搭載されたナビゲーション装置では、車両の現在位置を検出するために、例えば、加速度センサ等のセンサからの出力を使用する。このような加速度センサの検出軸が傾斜すれば、水平時角速度センサ感度が変化するので、加速度センサの出力から道路傾斜角を算出する場合に誤差が含まれる。このような誤差を低減するためには、センサの傾斜角、特に車両への取付け角を導出する必要がある。これまでは、例えば、加速度センサにより検出される加速度、加速度センサ以外の手段によって導出される加速度、重力加速度、傾斜角、取付け角の間で成立する関係式から、取付け角が導出されている。その際、車両が移動しても同一地点に戻るのであれば、経路内の上りと下りの傾斜が長期的に相殺されるので、傾斜角の平均値はゼロになるという仮定が使用される（例えば、特許文献１）。
【先行技術文献】
【特許文献】
【０００３】
【特許文献１】特開２００２−２４３４９４号公報
【発明の概要】
【発明が解決しようとする課題】
【０００４】
車両が移動しても同一地点に戻るという仮定を前提とした場合、取付け角を導出するための期間が長くなる。導出するための期間が長くなるほど、加速度センサのオフセットは、温度変化の影響を受けて変動する。加速度センサのオフセットが変動すると、導出された取付け角に含まれる誤差が大きくなり、導出精度が悪化する。
【０００５】
本発明はこうした状況に鑑みてなされたものであり、その目的は、取付け角を短期間に導出する技術を提供することにある。
【課題を解決するための手段】
【０００６】
上記課題を解決するために、本発明のある態様の導出装置は、車両に搭載された加速度センサからの進行方向出力値であって、かつ車両の進行方向についての進行方向出力値を順次入力する入力部と、入力部において順次入力した進行方向出力値とは別に、道路の傾き方向についての車両の加速度を順次取得する取得部と、取得部において順次取得した加速度と、入力部において順次入力した進行方向出力値との間の相関値を導出する相関部と、相関部において導出した相関値がしきい値以上である場合に、取得部において順次取得した加速度の変化と、入力部において順次入力した進行方向出力値の変化とをもとに、車両に対する加速度センサの取付け角の絶対値を導出する導出部と、を備える。
【０００７】
本発明の別の態様は、導出方法である。この方法は、車両に搭載された加速度センサからの進行方向出力値であって、かつ車両の進行方向についての進行方向出力値を順次入力するステップと、順次入力した進行方向出力値とは別に、道路の傾き方向についての車両の加速度を順次取得するステップと、順次取得した加速度と、順次入力した進行方向出力値との間の相関値を導出するステップと、導出した相関値がしきい値以上である場合に、順次取得した加速度の変化と、順次入力した進行方向出力値の変化とをもとに、車両に対する加速度センサの取付け角の絶対値を導出するステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、取付け角を短期間に導出できる。
【図面の簡単な説明】
【００１０】
【図１】本発明の実施例に係る加速度センサを搭載した車両を示す図である。
【図２】本発明の実施例に係る導出装置の構成を示す図である。
【図３】図２の導出装置において処理対象となる角度を示す図である。
【図４】図４（ａ）−（ｂ）は、図２の相関部における処理概要を示す図である。
【図５】図５（ａ）−（ｂ）は、図２の符号計算部における処理概要を示す図である。
【図６】図２の導出装置による傾き角の導出手順を示すフローチャートである。
【図７】図２の符号計算部による符号の導出手順を示すフローチャートである。
【図８】本発明の変形例に係る取得部の構成を示す図である。
【図９】本発明の変形例の符号計算部における処理概要を示す図である。
【図１０】本発明の変形例の符号計算部による符号の導出手順を示すフローチャートである。
【発明を実施するための形態】
【００１１】
本発明を具体的に説明する前に、まず概要を述べる。本発明の実施例は、車両等に搭載された加速度センサの取付け角を導出する導出装置に関する。取付け角を短期間に導出するために、本実施例に係る導出装置は、次の処理を実行する。導出装置は、加速度センサからの進行方向出力値であって、かつ車両の進行方向についての進行方向出力値（以下、「加速度センサＹ軸出力値」という）を入力する。また、導出装置は、距離センサからの速度パルスをもとに加速度を取得する。ここで、道路の傾斜角が変化しない期間において、加速度センサＹ軸出力値の時間変化と、加速度の時間変化とをもとに、取付け角の絶対値が導出される。道路の傾斜角が変化しない期間を検出するために、導出装置は、加速度センサＹ軸出力値と加速度との相関値を計算し、相関値がしきい値以上の期間を特定する。加速度センサＹ軸出力値の時間変化と、加速度の時間変化とを検出ための期間を短縮することによって、導出装置は、短期間であっても取付け角を導出できる。
【００１２】
図１は、本発明の実施例に係る加速度センサ１２を搭載した車両１０を示す。車両１０は、図中の車両進行方向へ移動する。加速度センサ１２は、車両１０に搭載されている。加速度センサ１２が加速度を検出する軸は、車両進行方向に一致せず、車両進行方向からずれている。軸と車両進行方向との間の角が、前述の取付け角に相当し、ここではこれをθｓと示す。一般的に取付け角が大きくなるほど、加速度センサ１２の出力から道路傾斜角を算出する場合の誤差が大きくなる。
【００１３】
図２は、本発明の実施例に係る導出装置１００の構成を示す。導出装置１００は、入力部２０、取得部２２、相関部２４、導出部２６、制御部２８を含み、取得部２２は、速度計算部３０、加速度計算部３２を含み、導出部２６は、絶対値計算部３４、符号計算部３６を含む。導出装置１００には、加速度センサ１２、距離センサ１４が接続される。
【００１４】
加速度センサ１２は、車両１０の主たる移動方向、例えば、車両の前後方向に生じる加速度を検出する。ここでは、加速度を説明するために図３を使用する。図３は、導出装置１００において処理対象となる角度を示す。水平面方向がＹ軸として規定されるとともに、Ｙ軸に対する鉛直方向がＺ軸として規定される。重力加速度は、Ｚ軸に重なる。道路面２０４は、Ｙ軸に対して傾き角θｐだけ傾いている。道路面２０４の方向は、図１の車両進行方向に相当する。前述のごとく、加速度センサ１２は、車両進行方向に対して取付け角θｓずれて搭載されている。加速度センサ１２の検出軸は、加速度センサＹ軸２００として示されている。また、加速度センサＹ軸２００に鉛直の軸が加速度センサＺ軸２０２として示されている。加速度センサＹ軸２００には、道路面２０４方向の加速度成分と、重力加速度成分とが重畳されている。以下では、車両１０の進行方向についての出力値を「進行方向出力値」といい、車両１０の進行方向に対して鉛直方向についての出力値を「重力加速度方向出力値」という。図１に戻る。加速度センサ１２は、検出した出力値を入力部２０へ順次出力する。
【００１５】
入力部２０は、加速度センサ１２に接続されており、加速度センサ１２からの出力値を順次受けつける。このような出力値には、進行方向出力値と重力加速度方向出力値とが含まれている。入力部２０は、相関部２４および導出部２６へ出力値を順次出力する。
【００１６】
距離センサ１４は、車両１０の移動距離を検出する。例えば、距離センサ１４は、所定の期間の速度パルスを加算することによって移動距離を導出する。距離センサ１４は、検出した移動距離に関する情報（以下、「距離情報」という）を取得部２２へ順次出力する。また、ＧＰＳから出力される速度情報に時間を乗算することによって、移動距離が導出されてもよい。ＧＰＳから出力される速度情報は図３のＹ軸における速度であるので、例えば、ＧＰＳから出力される高度情報等から道路傾斜θｐを算出し、速度をｃｏｓ（θｐ）で除算することで道路面２０４方向の移動距離として導出する。
【００１７】
速度計算部３０は、距離センサ１４に接続されており、距離センサ１４から距離情報を順次受けつける。速度計算部３０は、距離情報に含まれた移動距離の時間変化を計算することによって、速度を導出する。速度計算部３０は、導出した速度を加速度計算部３２へ順次出力する。加速度計算部３２は、速度計算部３０から速度を順次受けつける。加速度計算部３２は、速度の時間変化を計算することによって、加速度を導出する。この加速度は、進行方向出力値とは別に導出されており、道路の傾き方向についての加速度といえる。加速度計算部３２は、相関部２４および導出部２６へ導出した加速度を順次出力する。このように取得部２２は、車両１０の加速度を順次取得する。
【００１８】
相関部２４は、加速度計算部３２から加速度を順次受けつけ、入力部２０から出力値を順次受けつける。相関部２４は、加速度と、出力値、特に進行方向出力値との間の相関値を導出する。ここでは、相関部２４での相関処理を説明する前に、取付け角θｓを導出するための処理の概要を説明する。図３に示された角度が規定される状況下において、加速度センサ１２によって検出される加速度は、次のように示される。
【数１】
2014130094.tif 000003
ここで、Ｋａは、加速度センサＹ軸感度［ｍ／（ｓ２・Ｖ）］であり、ａＹＯｕｔは、加速度センサＹ軸出力［Ｖ］であり、ａＹＬＯｆｓは、加速度センサＹ軸水平時オフセット［Ｖ］であり、ａＹは、加速度［ｍ／ｓ２］であり、ｇは、重力加速度［ｍ／ｓ２］である。また、ａＹＯｕｔは、前述の進行方向出力値に相当し、ａＹは、加速度計算部３２において導出される。
【００１９】
式（１）について、時刻ｎでの加速度と時刻ｎ＋１での加速度との連立式は、次のように示される。
【数２】
2014130094.tif 000004
式（２）において、θｐ［ｎ］とθｐ［ｎ＋１］とが等しければ、次の関係が成立する。
【数３】
2014130094.tif 000005
ここで、式（３）の右辺が一定値であれば、取付け角θｓの絶対値が導出される。また、式（３）の右辺が一定値になることは、式（２）の右辺の重力項が消去できることに相当する。
【００２０】
このような状況は、（ｉ）ａＹＬＯｆｓの温度特性による変化が微小である場合、かつ（ｉｉ）ａＹＯｕｔとａＹとの相関が高い場合に成立する。条件（ｉ）は、時刻ｎと時刻ｎ＋１との時間間隔が微少であるようにすれば満たされる。ここで、微少な時間間隔は、例えば、１秒である。条件（ｉｉ）が成立しているかを検出するために、前述のごとく、相関部２４は相関値Ｃを次のように計算する。
【数４】
2014130094.tif 000006
【数５】
2014130094.tif 000007
【００２１】
図４（ａ）−（ｂ）は、相関部２４における処理概要を示す。図４（ａ）は、時間経過に対する加速度センサＹ軸出力２１０、加速度２１２との関係を示しており、相関が高い場合に相当する。図４（ｂ）は、図４（ａ）と同様の関係を示しているが、相関が低い場合に相当する。図２に戻る。相関部２４は、相関値Ｃとしきい値とを比較し、相関値Ｃがしきい値以上であれば、その旨を導出部２６へ通知する。例えば、式（４）において、Ｎ＝４、しきい値＝０．９９である場合、相関部２４は、相関値Ｃが０．９９以上であれば、導出部２６への通知を出力する。
【００２２】
絶対値計算部３４は、相関部２４において導出した相関値がしきい値以上である場合に、相関部２４から通知を受けつける。絶対値計算部３４は、通知を受けた場合に、式（３）を計算することによって、ｃｏｓ（θｓ）を計算する。ｃｏｓは隅関数であるので、これは、車両１０に対する加速度センサ１２の取付け角θｓの絶対値を導出することに相当する。なお、式（３）の計算は、取得部２２において順次取得した加速度の変化と、入力部２０において順次入力した進行方向出力値の変化とをもとに、車両１０に対する加速度センサの取付け角θｓの絶対値を導出することである。
【００２３】
なお、絶対値計算部３４は、相関部２４において相関値を導出するための期間（以下、「第１期間」という）よりも短い期間（以下、「第２期間」という）において式（３）を計算する。例えば、式（３）において、第１期間はＮ＝４であり、ｎ＝２と３のときの値が使用される。その際、第２期間は「２」であり、かつ第１期間に含まれている。絶対値計算部３４は、取付け角θｓの絶対値を符号計算部３６に出力してもよいし、外部に出力してもよい。
【００２４】
符号計算部３６は、入力部２０から出力値を順次受けつける。符号計算部３６は、絶対値計算部３４が絶対値を算出した後、道路面２０４が水平に近ければ、車両１０に対する加速度センサの取付け角の符号を導出する。ここで、道路面２０４が水平に近いことは、例えば、ＧＰＳセンサによって検出された高度から導出される。具体的に説明すると、符号計算部３６は、車両１０が進行状態から停止状態に変わる場合において、入力部２０において順次入力した重力加速度方向出力値の増減に応じて、車両１０に対する加速度センサの取付け角θｓの符号を導出する。ここで、車両１０が進行状態から停止状態に変わる場合は、速度計算部３０において導出される速度の変化によって検出される。なお、車両１０が進行状態から停止状態に変わる場合は、車両１０が停止状態から進行状態に変わる場合であってもよい。これらは、車両の加速度が変化する場合に相当する。
【００２５】
図５（ａ）−（ｂ）は、符号計算部３６における処理概要を示す。図５（ａ）は、加速度センサの取付け角θｓの符号が「正」である場合に相当する。図５（ａ）では、図３と同様に、加速度センサＹ軸２００、加速度センサＺ軸２０２が示されている。このような状況において、取付け角θｓは、加速度センサＺ軸２０２において、加速度センサＺ軸出力変化量２１４と示される。加速度センサＺ軸出力変化量２１４の方向は、重力加速度方向と逆である。そのため、符号計算部３６は、重力加速度方向出力値の減少を検出すれば、取付け角θｓの符号「正」を導出する。
【００２６】
図５（ｂ）は、加速度センサの取付け角θｓの符号が「負」である場合に相当する。加速度センサＺ軸出力変化量２１４の方向は、重力加速度方向と同一である。そのため、符号計算部３６は、重力加速度方向出力値の増加を検出すれば、取付け角θｓの符号「負」を導出する。図２に戻る。絶対値計算部３４において導出された取付け角θｓの絶対値と、符号計算部３６において導出された取付け角θｓの符号との組合せが、取付け角θｓに相当する。制御部２８は、導出装置１００の動作を制御する。
【００２７】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２８】
以上の構成による導出装置１００の動作を説明する。図６は、導出装置１００による傾き角の導出手順を示すフローチャートである。相関部２４は、相関値を計算する（Ｓ１０）。相関値がしきい値以上であれば（Ｓ１２のＹ）、絶対値計算部３４は、取付け角の絶対値を導出し（Ｓ１４）、符号計算部３６は、取付け角の符号を導出する（Ｓ１６）。一方、相関値がしきい値以上でなければ（Ｓ１２のＮ）、ステップ１４、１６はスキップされる。
【００２９】
図７は、符号計算部３６による符号の導出手順を示すフローチャートである。水平に近く（Ｓ２０のＹ）、車両１０が進行状態から停止状態に変化し（Ｓ２２のＹ）、重力加速度方向出力値が減少すれば（Ｓ２４のＹ）、符号計算部３６は、符号「−」を導出する（Ｓ２６）。重力加速度方向出力値が減少しなければ（Ｓ２４のＮ）、符号計算部３６は、符号「＋」を導出する（Ｓ２８）。水平に近くない場合（Ｓ２０のＮ）、あるいは車両１０が停止状態から進行状態に変化しない場合（Ｓ２２のＮ）、処理は終了される。
【００３０】
次に、本発明の変形例を説明する。本発明の変形例は、実施例と同様に、車両に対する加速度センサの取付け角を導出することに関する。変形例では、実施例とは異なった処理によって、取付け角の符号を導出する。実施例では、停止状態から進行状態に変化するひとつのタイミングにおいて、取付け角の符号が導出される。変形例では、ふたつのタイミングにおいて、取付け角の符号が導出される。変形例に係る導出装置１００は、図２と同様のタイプである。以下では、実施例との差異を中心に説明する。
【００３１】
図８は、本発明の変形例に係る取得部２２の構成を示す。取得部２２は、速度計算部３０、加速度計算部３２、傾き角計算部４０を含む。傾き角計算部４０は、車両１０の傾き角θｐを順次取得する。傾き角θｐの導出には公知の技術が使用されればよいので、ここでは説明を省略する。なお、傾き角計算部４０には、距離センサ１４からの入力だけではなく、図示しないＧＰＳ等からの入力がなされてもよい。
【００３２】
図２の符号計算部３６は、傾き角計算部４０からの傾き角θｐも受けつける。符号計算部３６は、ふたつのタイミングにおける傾き角をθｐ１とθｐ２とする。なお、θｐ１＜θｐ２であるとする。｜θｐ１｜＞θｔｈまたは｜θｐ２｜＞θｔｈであれば、符号計算部３６は、処理を停止する。｜θｐ１｜＞θｔｈまたは｜θｐ２｜＞θｔｈでなければ、符号計算部３６は、処理を続行する。ここで、０＜θｔｈ＜θｓとなるように、θｔｈが設定される。
【００３３】
符号計算部３６は、傾き角の第１値θｐ１に対応した重力加速度方向出力値の第１値ａＺＯｕｔ１と、傾き角の第２値θｐ１に対応した重力加速度方向出力値の第２値ａＺＯｕｔ２とする。符号計算部３６は、重力加速度方向出力値の第１値ａＺＯｕｔ１と重力加速度方向出力値の第２値ａＺＯｕｔ２との大小関係に応じて、車両１０に対する加速度センサ１２の取付け角θｓの符号を導出する。
【００３４】
図９は、本発明の変形例の符号計算部３６における処理概要を示す。縦軸は重力加速度方向出力値ａＺＯｕｔを示し、横軸は角度Θを示す。ここで、角度Θは、θｐ＋θｓまたはθｐ−θｓに相当する。図示のごとく、傾き角が増加する場合に、重力加速度方向出力値が増加すれば、符号計算部３６は、取付け角θｓの符号が「負」であると判定する。なお、重力加速度方向出力値が増加することは、重力加速度方向出力値の第２値ａＺＯｕｔ２＞重力加速度方向出力値の第１値ａＺＯｕｔ１に相当する。一方、傾き角が増加する場合に、重力加速度方向出力値が減少すれば、符号計算部３６は、取付け角θｓの符号が「正」であると判定する。なお、重力加速度方向出力値が減少することは、重力加速度方向出力値の第２値ａＺＯｕｔ２＜重力加速度方向出力値の第１値ａＺＯｕｔ１に相当する。
【００３５】
図１０は、本発明の変形例の符号計算部３６による符号の導出手順を示すフローチャートである。｜θｓ｜−θｔｈ＜｜θｐ１｜＜｜θｓ｜＋θｔｈ、｜θｓ｜−θｔｈ＜｜θｐ２｜＜｜θｓ｜＋θｔｈであり（Ｓ４０のＹ）、ａＺＯｕｔ２＞ａＺＯｕｔ１であれば（Ｓ４２のＹ）、符号計算部３６は、符号「−」を導出する（Ｓ４４）。ａＺＯｕｔ２＞ａＺＯｕｔ１でなければ（Ｓ４２のＮ）、符号計算部３６は、符号「＋」を導出する（Ｓ４６）。｜θｓ｜−θｔｈ＜｜θｐ１｜＜｜θｓ｜＋θｔｈ、｜θｓ｜−θｔｈ＜｜θｐ２｜＜｜θｓ｜＋θｔｈでなければ（Ｓ４０のＮ）、処理は終了される。
【００３６】
本発明の実施例によれば、加速度と進行方向出力値との間の相関が高い場合に、加速度の変化と進行方向出力値の変化とをもとに取付け角の絶対値を導出するので、変化が生じる程度の短期間に取付け角を導出できる。また、取付け角が短期間に導出されるので、導出精度を向上できる。また、加速度と進行方向出力値との間の相関値を導出するので、加速度の変化と進行方向出力値の変化とをもとに取付け角の絶対値を導出できる。また、相関値を導出ための期間中における加速度の変化と進行方向出力値の変化とを使用するので、取付け角の導出精度を向上できる。
【００３７】
また、傾斜角が水平に近い場合であって、車両が進行状態から停止状態に変わる場合において、重力加速度方向出力値の増減に応じて取付け角の符号を導出するので、取付け角の符号を簡易に導出できる。また、ふたつの重力加速度方向出力値の大小関係に応じて取付け角の符号を導出するので、取付け角の符号を簡易に導出できる。また、ふたつの重力加速度方向出力値の相対的な関係を使用するので、取付け角の符号の導出精度を向上できる。
【００３８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３９】
本発明の実施例において、絶対値計算部３４は、一度の計算で取付け角の絶対値を導出している。しかしながらこれに限らず例えば、絶対値計算部３４は、第２期間を変えながら、加速度センサ１２の取付け角の絶対値を仮の絶対値として複数導出するとともに、複数の仮の絶対値を加重平均することによって、加速度センサ１２の取付け角の絶対値を導出してもよい。その際、絶対値計算部３４は、相関部２４において導出した相関値が大きくなるほど、加重平均の際の重みを大きくする。本変形例によれば、加重平均を実行するので、取付け角の絶対値の導出精度を向上できる。
【符号の説明】
【００４０】
１０  車両、  １２  加速度センサ、  １４  距離センサ、  ２０  入力部、  ２２  取得部、  ２４  相関部、  ２６  導出部、  ２８  制御部、  ３０  速度計算部、  ３２  加速度計算部、  ３４  絶対値計算部、  ３６  符号計算部、  １００  導出装置。
【図１】
2014130094.tif 000008
【図２】
2014130094.tif 000009
【図３】
2014130094.tif 000010
【図４】
2014130094.tif 000011
【図５】
2014130094.tif 000012
【図６】
2014130094.tif 000013
【図７】
2014130094.tif 000014
【図８】
2014130094.tif 000015
【図９】
2014130094.tif 000016
【図１０】
2014130094.tif 000017